(57)【要約】【課題】従来のリアプロジェクション装置では、部品点数が多いだけでなく、光学ブロック等のプロジェクション本体の搭載作業を、非常に狭く、手元が見えづらい中で行わなければならなかったため、コネクタの半挿し等の確認が十分に行えず、製品の歩留りが低下していた。【解決手段】開口された開口部２ａ及び内部に取り付けられた反射ミラー３を有するキャビネット２と、反射ミラー３によって反射された映像光が投影されるスクリーン４を保持すると共に開口部２ａを覆うようにキャビネット２に取り付けられるスクリーンフレーム５と、開口部２ａから挿入されてキャビネット２の内部に収納されるプロジェクション本体６と、を備え、プロジェクション本体６は、映像光を投射する光学ブロック２３と、光源２６を有する光源ブロック２４と、制御装置を有するシャーシブロック２５と、からなる。【選択図】図２
2008145963.tif 000002
【特許請求の範囲】
【請求項１】
前面に開口された開口部を有し、反射ミラーが内部に取り付けられたキャビネットと、
前記反射ミラーによって反射された映像光が投影されるスクリーンを保持すると共に前記開口部を覆うように前記キャビネットに取り付けられるスクリーンフレームと、
前記開口部から挿入されて前記キャビネットの内部に収納されるプロジェクション本体と、を備え、
前記プロジェクション本体は、
前記反射ミラーに前記映像光を投射する光学ブロックと、
前記光学ブロックに光を供給する光源を有する光源ブロックと、
前記光学ブロック及び前記光源ブロックを駆動制御する制御装置を有するシャーシブロックと、
からなることを特徴とするリアプロジェクション装置。
【請求項２】
前記キャビネットの内部に、前記反射ミラーと前記プロジェクション本体との間を仕切るセパレータを設け、
前記セパレータは、前記キャビネットと別部材で形成されると共に、当該キャビネットに設けた支持部に当該セパレータの一部を着脱可能に係合することにより当該キャビネットに固定されることを特徴とする請求項１記載のリアプロジェクション装置。
【請求項３】
前記セパレータは、前記プロジェクション本体の上面を覆う第１面部と、当該第１面部と連続すると共に前記プロジェクション本体の前面を覆う第２面部と、を有し、
前記第１面部には、前記光学ブロックの前記映像光を投射するレンズ部が挿通され又は当該レンズ部から投射される当該映像光が通過する投射開口部を設けたことを特徴とする請求項２記載のリアプロジェクション装置。
【請求項４】
前記セパレータの前記第２面部の下端部に、突起を有する係合フック部を設け、
前記キャビネットの前記プロジェクション本体が搭載される搭載面に、前記係合フック部が係合される係合孔部を設け、
前記係合孔部に前記係合フック部の前記突起を着脱可能に係合することにより前記キャビネットに前記セパレータを固定することを特徴とする請求項２記載のリアプロジェクション装置。
【請求項５】
前記キャビネットの背面又は側面に、前記光学ブロック、前記光源ブロック及び前記シャーシブロックの少なくとも一つに対応させて開口窓を設け、当該開口窓から当該キャビネットの背面又は側面方向に当該光学ブロック、当該光源ブロック又は当該シャーシブロックの組み込み及び引き出しを可能としたことを特徴とする請求項１記載のリアプロジェクション装置。
【発明の詳細な説明】
【技術分野】
【０００１】
本発明は、プロジェクション本体から出射した映像光を反射ミラーにより反射させてスクリーンの背面側に投射し、そのスクリーンに映像を表示させるリアプロジェクション装置に関するものである。
【背景技術】
【０００２】
従来の、この種のリアプロジェクション装置としては、例えば、特許文献１に記載されているようなものがある。特許文献１には、内部に液晶表示部を含む映像機器、投射レンズを含む光学ユニット、光源及びミラー等が装備され、上部の前面側にスクリーンが取り付けられた液晶リアプロジェクションテレビに関するものが記載されている。この特許文献１に記載された液晶リアプロジェクションテレビは、「上部キャビネットと下部キャビネットとを分離可能に形成し、前記上部キャビネットに少なくともスクリーンとミラーとを設け、前記下部キャビネットに少なくとも映像機器、駆動及び制御回路、投射レンズを含む光学ユニット及び光源からなる主要構成部分が装備され、前記投射レンズのフォーカスを調整することで上部にセットされる上部キャビネットの大きさを選択できるようにした」ことを特徴としている。
【０００３】
このような構成を有する液晶プロジェクションテレビによれば、「画面サイズが相違するテレビにおいて、下部キャビネットは共通に適用でき、上部キャビネットを適宜の画面サイズのものに変更するだけで、多種類の画面サイズのテレビが容易に得られ、生産性の向上が図れると共に大幅なコストダウンが図れる」（明細書の段落［００４４］）等の効果が期待される。
【特許文献１】特開平９−９８３５７号公報
【０００４】
しかしながら、特許文献１に記載されている液晶リアプロジェクションテレビは、スクリーンフレームを有する上部キャビネットと、この上部キャビネットを支持すると共に主要構成部分であるプロジェクション本体が着脱可能に収納される下部キャビネットと、を備えて構成されている。上部キャビネットのスクリーンフレームには映像光が投影されるスクリーンが取り付けられている。このスクリーンに映像光を投影する反射ミラーが上部キャビネットに取り付けられており、その反射ミラーによってプロジェクション本体から出射された映像光が反射されてスクリーンに投影されている。下部キャビネットは、プロジェクション本体を取り付けたり取り出したりするための開口部が背面側に設けられている。この背面側の開口部は、下部キャビネットに着脱可能に取り付けられるリアカバーによって覆われている。
【０００５】
図１４及び図１５は、特許文献１に記載されている液晶リアプロジェクションテレビであるリアプロジェクションテレビ１００の概略構成を示すもので、図１４は正面側から見た分解斜視図、図１５は背面側から見た分解斜視図である。このリアプロジェクションテレビ１００は、前面に開口部１０６を有する筐体からなる上部キャビネット１０１と、この上部キャビネット１０１を下方から支持する下部キャビネット１０２と、この下部キャビネット１０２の背面側に開口した背面開口部１０７を覆うリアカバー１０３と、前面開口部１０６を囲うようにして上部キャビネット１０１に着脱可能に取り付けられるスクリーンフレーム１０４とを備えて構成されている。即ち、このリアプロジェクションテレビ１００は、４つの主要構成部を有する４点構造となっている。
【０００６】
上部キャビネット１０１の前面開口部１０６には、図示しないスクリーンが配置され、そのスクリーンがスクリーンフレーム１０４によって保持されている。このスクリーンに対向するように図示しない反射ミラーが、上部キャビネット１０１の背面側の上部に所定の傾斜角度で取り付けられている。また、図１５に示すように、下部キャビネット１０２には、上部キャビネット１０１の支持力を高めるための２本の支柱１０５，１０５が設けられている。２本の支柱１０５，１０５は、下部キャビネット１０２の左右方向の両側部において、それぞれ上方に延在されて所定の高さに設定されている。
【０００７】
下部キャビネット１０２に収納されているプロジェクション本体１０８は、反射ミラーに映像光を投射する光学ブロック１１１と、この光学ブロック１１１に光を供給する光源ブロック１１２と、これら光学ブロック１１１及び光源ブロック１１２に制御信号を出力して映像や光の投射等を駆動制御する制御装置を有するシャーシブロック１１３を備えて構成されている。光学ブロック１１１は、下部キャビネット１０２の左右方向の略中央部に配置されており、映像光を出射する投射レンズ１１５がその光軸を斜め上方に向けて上方へ突出するように設けられている。この投射レンズ１１５が、上部キャビネット１０１に設けた投射開口部１１６を貫通して上部キャビネット１０１内に挿入されている。更に、光学ブロック１１１には、３色（Ｒ：赤、Ｇ：緑、Ｂ：青）の液晶パネル等に冷却風を供給して冷却する冷却機構が設けられている。
【０００８】
光源ブロック１１２は、光学ブロック１１１の一側に配置されており、その略中央には投射レンズ１１５等に光を供給する図示しない発光ランプが設けられている。更に、光源ブロック１１２には、発光ランプに冷却風を供給して冷却する冷却機構が設けられている。
【０００９】
図１４に示すように、スクリーンフレーム１０４は、長方形をなす横長の枠状部材からなっている。このスクリーンフレーム１０４の長辺側の一辺である下辺部１０４ａには、その長辺に沿って連続するスピーカ用凹部１１８が設けられている。このスピーカ用凹部１１８には、図示しない左右のスピーカ装置が収納される。２つのスピーカ装置は、棒状に形成されたスピーカブラケット１２０に固定され、このスピーカブラケット１２０を介してスクリーンフレーム１０４の背面にネジ止めされて取り付けられている。
【００１０】
このリアプロジェクションテレビ１００の組立作業は、例えば、概略次のようにして行われる。まず、下部キャビネット１０２の上面に上部キャビネット１０１を重ね合わせ、両キャビネット１０１，１０２をネジ止めして固定する。次に、下部キャビネット１０２の内部に、その背面側からプロジェクション本体１０８を挿入し、ネジ止め等によって下部キャビネット１０２に固定する。次いで、２本の支柱１０５，１０５で上部キャビネット１０１を補助的に支えるようにし、下部キャビネット１０２の背面開口部１０７をリアカバー１０３で閉鎖する。そして、リアカバー１０３を下部キャビネット１０２にネジ止めして固定する。その後、スクリーンが取り付けられたスクリーンフレーム１０４を上部キャビネット１０１の前面に取り付ける。
【００１１】
しかしながら、前述したような構成を有するリアプロジェクションテレビ１００の場合には、主要構成部として上部キャビネット１０１と下部キャビネット１０２とリアカバー１０３とスクリーンフレーム１０４とを備える４点構成となっていた。そのため、部品点数が多く、また、組立作業の作業工数も多いことから、不経済であるという問題があった。
【００１２】
また、下部キャビネット１０２が断面コの字状に折り曲げられた形状をなしていて、その凹部内にプロジェクション本体１０８を収納する作業が必要であった。そのため、非常に狭いスペースにプロジェクション本体１０８を設置する作業が必要となり、しかも手元が見え難い中で作業を行わなければならなかった。その結果、組立作業時の作業性が悪く、ブロック間を電気的に接続するコネクタの接続状態を目で確認することができず、コネクタの半挿し等のチェックができないために、電気的接続不良によって歩留りが低下することがあるという問題があった。
【００１３】
更に、スクリーンに映像光を反射させる反射ミラーは上部キャビネット１０１に取り付けられており、この反射ミラーに映像光を投射する光学ブロック１１３は、下部キャビネット１０２に収納されている。そのため、組立誤差が生じて上部キャビネット１０１と下部キャビネット１０２との間にずれが発生すると、それに伴って光学ブロック１１３と反射ミラーとの位置関係がずれてしまい、光学精度が低下し画像が不鮮明になるという問題もあった。
【発明の開示】
【発明が解決しようとする課題】
【００１４】
解決しようとする問題点は、従来のリアプロジェクション装置では、上部キャビネットと、この上部キャビネットを支持する下部キャビネットと、この下部キャビネットの背面を覆うリアカバーと、上部キャビネットの開口部を覆うスクリーンフレームの４点構造となっており、更に下部キャビネットの強度を確保するために支柱を設けていたことから、使用される部品点数が多く、コストアップを招いている、という点である。
【００１５】
また、光学ブロック等のプロジェクション本体を下部キャビネに設置する際には、非常に狭く、且つ、手元が見え難い中で行わなければならなかった。そのため、組立作業時の作業性が悪いだけでなく、コネクタの半挿し等の確認を行うことができず、電気的接続不良によって歩留りが低下する、という点である。
【００１６】
更に、反射ミラーは上部キャビネットに取り付けられており、この反射ミラーに映像光を投射する光学ブロックが下部キャビネットに収納されていた。その結果、上部キャビネットと下部キャビネットとの間で位置関係のズレが発生すると、それに伴って光学ブロックと反射ミラーとの位置関係もずれてしまい、光学精度が低下して映像が不鮮明になる、という点である。
【課題を解決するための手段】
【００１７】
本発明のリアプロジェクション装置は、前面に開口された開口部を有し、反射ミラーが内部に取り付けられたキャビネットと、反射ミラーによって反射された映像光が投影されるスクリーンを保持すると共に開口部を覆うようにキャビネットに取り付けられるスクリーンフレームと、開口部から挿入されてキャビネットの内部に収納されるプロジェクション本体と、を備えている。このプロジェクション本体は、反射ミラーに映像光を投射する光学ブロックと、光学ブロックに光を出射する光源を有する光源ブロックと、光学ブロック及び光源ブロックを駆動制御する制御装置を有するシャーシブロックと、からなることを最も主要な特徴とする。
【発明の効果】
【００１８】
本発明のリアプロジェクション装置によれば、部品点数の削減を図ることができると共に、組立作業の作業工数も削減することができる。更に、光学ブロック等のプロジェクション本体をキャビネットの前面に設けた開口部側から挿入することができるため、組立作業を極めて容易に行うことができると共に、コネクタの半挿し等による電気的接続不良を防止して製品の歩留りの向上を図ることができる。
【発明を実施するための最良の形態】
【００１９】
前面に開口部を有するキャビネットの当該開口部から反射ミラーに映像光を投射する光学ブロック等からなるプロジェクション本体を組み込み可能にする。これにより、装置全体の部品点数の削減を図り、組立作業の効率を上げると共に、製品の歩留りの向上を図ることができるリアプロジェクション装置を、簡単な構成によって実現した。
【００２０】
以下、本発明の実施の形態を、添付図面を参照して説明する。図１〜図１３は、本発明の実施の形態の例を示すものである。即ち、図１は本発明のリアプロジェクション装置の第１の実施の例を示す正面側から見た斜視図、図２は主要構成部の分解斜視図、図３はキャビネットにプロジェクション本体を搭載した状態を示す説明図、図４はキャビネットを示す斜視図、図５は光学ブロック及び光源の構成を示す模式図、図６はセパレータを示す斜視図、図７はキャビネット内にセパレータを固定した状態を示す斜視図、図８は係合孔部と係合フック部の係止状態を示すもので図７の要部を拡大して示す説明図、図９は係合孔部と係合フック部の係止状態を示すもので図８のＡ−Ａ線断面図である。
【００２１】
図１０は本発明のリアプロジェクション装置の第２の実施の例を示す背面側から見た説明図、図１１は第２の実施の例に係るキャビネットを背面側から見た斜視図、図１２はシャーシブロックを正面側から見た斜視図、図１３は同じく背面側から見た斜視図である。
【００２２】
まず、本発明のリアプロジェクション装置の第１の実施の例を示すリアプロジェクションテレビ１について図１〜図９を参照して説明する。リアプロジェクションテレビ１は、いわゆるテレビジョン受像機である。このリアプロジェクションテレビ１は、ＣＲＴやＬＣＤ素子等の画像表示デバイスを有する光学ブロックから映像光を出射し、その映像光を反射ミラーで反射してスクリーンに拡大投射することで映像（画像）を表示するものである。
【００２３】
このリアプロジェクションテレビ１は、図１〜３に示すように、前面の全体が開口された開口部２ａを有するキャビネット２と、このキャビネット２に取り付けられる反射ミラー３と、反射ミラー３によって反射された映像光が投影されるスクリーン４と、このスクリーン４を保持すると共にキャビネット２の開口部２ａを覆うスクリーンフレーム５と、キャビネット２の内部に搭載されるプロジェクション本体６と、プロジェクション本体６と反射ミラー３との間を仕切るセパレータ７等を備えて構成されている。
【００２４】
図４等に示すように、キャビネット２は、前面に開口部２ａを有する中空の筐体からなっている。このキャビネット２は、プロジェクション本体６が搭載される略長方形をなす載置面部２ｂと、この載置面部２ｂの長辺における開口部２ａと反対側の一端から略垂直をなすように連続されると共に略長方形をなすように形成された背面部２ｃと、この背面部２ｃに所定の傾斜角度をなして連続されると共に反射ミラー３が取り付けられる上面部２ｄと、載置面部２ｂの左側の短辺と略垂直をなして連続する左側面部２ｅと、載置面部２ｂの右側の短辺と略垂直をなして連続する右側面部２ｆとから構成されている。
【００２５】
上面部２ｄの内面には、複数のミラー係合片１１と左側ミラーホルダ１５ａと右側ミラーホルダ１５ｂが設けられている。このミラー係合片１１に反射ミラー３の下辺部が係合される。左側ミラーホルダ１５ａに反射ミラー３の左辺部が保持され、同様に、右側ミラーホルダ１５ｂに反射ミラー３の右辺部が保持される。背面部２ｃの左右方向の一側には、後述する光源ブロック２４を冷却するために外気等を通過させる格子状の冷却窓１６が設けられている。更に、背面部２ｃの左右方向の他側には、後述するシャーシブロック２５の外部コネクタ部を露出させるコネクタ開口部１４が設けられている。
【００２６】
左側面部２ｅ及び右側面部２ｆには、キャビネット２の内部に取り付けられた反射ミラー３等を掃除する際に、所定の掃除具を挿入することができる掃除孔１２ａが設けられている。この掃除孔１２ａには、蓋１２ｂがビス止め等によって取り付けられている。これにより、掃除孔１２ａが蓋１２ｂによって密閉されている。更に、左側面部２ｅ及び右側面部２ｆには、セパレータ７の位置決めと、組立て時にセパレータ７の嵌め込みをガイドするガイド段部１７が設けられている。このガイド段部１７の載置面部２ｂからの高さは、キャビネット２の開口部２ａ側よりも背面部２ｃ側が高くなるように設定されている。載置面部２ｂの開口部２ａ側の左右方向に所定の間隔を開けて本発明の支持部である第１の係合孔部１８と第２の係合孔部１９が設けられている。
【００２７】
反射ミラー３は、下辺の長さが上辺よりも短い略台形の板状に形成されている。この反射ミラー３の大きさは、キャビネット２の上面部２ｄの大部分を覆い隠す大きさに設定されている。この反射ミラー３は、その下辺部をミラー係合片１１に係合させると共に、左辺部を左側ミラーホルダ１５ａに保持させ、同様に、右辺部を右側ミラーホルダ１５ｂに保持させる。そして、上辺部を上側ミラーホルダ１５ｃに保持させる。この上側ミラーホルダ１５ｃは、上面部２ｄにビス止めされている。
【００２８】
スクリーンフレーム５は、図１及び図２に示すように、長方形をなす横長の枠状部材からなっている。このスクリーンフレーム５は、長方形状のベース枠５ａと、このベース枠５ａの前面側に取り付けられる化粧枠５ｂ等を備えて構成されている。
【００２９】
ベース枠５ａは、キャビネット２の開口部に対応した大きさに設定されている。化粧枠５ｂは、ベース枠５ａの前面から露出されるスクリーン４の外周を囲うように配置されている。このベース枠５ａと化粧枠５ｂは同じ部品内にあり、一体化されている。更に化粧枠５ｂの長辺側の一辺である下辺部には、微細な孔からなる図示しないスピーカホールと、動作表示を行うガイドライトが挿嵌される図示しないガイドライト孔が設けられている。
【００３０】
スクリーン４は、反射ミラー３側に配置されるフレネルレンズと、このフレネルレンズの反射ミラー３と反対側に配されるレンキュラーレンズとの組合せにより構成されている。このスクリーン４をベース枠５ａに図示しないスクリーンホルダを介してビス止めされている。
【００３１】
図３に示すように、プロジェクション本体６は、キャビネット２の載置面２ａの左右方向の略中央部に搭載される光学ブロック２３と、キャビネット２の開口部２ａから見て左右方向の一側に搭載される光源ブロック２４と、キャビネット２の開口部２ａから見て左右方向の他側に搭載されるシャーシブロック２５とから構成されている。
【００３２】
光学ブロック２３は、図３及び図５に示すようにフライアイレンズ群３１と、ＰＳコンバータ３２と、２つの色分解ミラー３３，３４と、３つの反射ミラー３５，３６，３７と、３枚のコンデンサレンズ３８Ｒ，３８Ｇ，３８Ｂと、入射側偏光板３９と、液晶デバイスである３つの液晶パネル４０Ｒ，４０Ｇ，４０Ｂ及び出射側偏光板４１からなる３組のライトバルブ４２と、色合成用のクロスプリズム４３と、レンズ群４４と、反射ミラー４５と、投射レンズ４６と、３組のライトバルブ４２等を冷却する図に表れないシロッコファン等を備えている。
【００３３】
ＰＳコンバータ３２は、誘電体がコーティングされた短冊状のガラスを接着剤で貼り合わせることにより形成されている。液晶パネル４０Ｒ，４０Ｇ，４０Ｂの入射側には、それぞれ入射側の偏光板３９が薄いガラス板を介してコンデンサレンズ３８Ｒ，３８Ｇ，３８Ｂに接着されている。この液晶パネル４０Ｒ，４０Ｇ，４０Ｂの出射側には、それぞれ偏光板４１が薄いガラス板を介してクロスプリズム４３に装着されている。
【００３４】
光源ブロック２４は、光学ブロック２３に光を照射する光源２６と、この光源２６を冷却する冷却装置を有している。この光源２６としては、例えば、高輝度放電ランプを挙げることができる。
【００３５】
次に、図５を参照して、光源ブロック２４に設けた光源２６と光学ブロック２３による映像投影の作用について説明する。まず、光源ブロック２４に設けた光源２６から照射された光は、フライアイレンズ群３１によって均一化され、ＰＳコンバータ３２によって偏光方向が揃えられる。そして、偏光方向が揃えられた光は、反射ミラー３５，３６，３７と色分解ミラー３３，３４によって、Ｒ（赤）、Ｇ（緑）、Ｂ（青）の３色の光に分解される。
【００３６】
コンデンサレンズ３８Ｒ，３８Ｇ，３８Ｂ及び偏光板３９を通して液晶パネル４０Ｒ，４０Ｇ，４０Ｂに照射された３色の光は、画像信号によって変調され、偏光板４１を通して、その透過率が制御される。このようにして、液晶パネル４０Ｒ，４０Ｇ，４０Ｂ上に形成された画像は、クロスプリズム４３によって１つの映像光として合成される。この映像光は、レンズ群４４を透過し、反射ミラー４５によって反射された映像光が投射レンズ４６に出射される。そして、この映像光は、投射レンズ４６を介してスクリーン４に投射される。
【００３７】
シャーシブロック２５は、光学ブロック２３及び光源ブロック２４を駆動制御する制御装置等を有している。このシャーシブロック２５には、制御装置等を冷却する冷却ファン２７を設けている。更に、シャーシブロック２５の背面には、ＵＳＢコネクタ等が接続される外部コネクタ部を有している。
【００３８】
図６に示すように、セパレータ７は、略Ｌ字状に折れ曲がった板体として構成されている。このセパレータ７は、略長方形をなす第１面部７ａと、当該第１面部７ａの長辺の一端から所定の傾斜角度をなして連続する第２面部７ｂを有している。組立後、第１面部７ａは、プロジェクション本体６の上面を覆い、第２面部７ｂは、プロジェクション本体６の前面を覆う。プロジェクション本体６の上面及び前面を覆うことにより、セパレータ７は、プロジェクション本体６の防塵の役割と、セパレータ７によって仕切られるキャビネット２内部における反射ミラー３側の空間部とプロジェクション本体６側の空間部との空気の循環を作るためのシーリング作用としての役割を果たしている。更に、セパレータ７自体が補強部材となり、リアプロジェクションテレビ１全体の強度を向上させている。その結果、従来のリアプロジェクション装置のように支柱を設ける必要がないため、部品点数を削減することができる。
【００３９】
第１面部７ａの略中央には、投射開口部５１が設けられている。この投射開口部５１は、光学ブロック２３の投射レンズ４６又は当該投射レンズ４６から投射される映像光が貫通される。この第１面部７ａにおいて第２面部７ｂと連続する長辺と反対側に位置する長辺の一端部には、光学ブロック２３を冷却するための空気を吸い込む吸気口５２が設けられている。更に、第１面部７ａには、面強度を高めるために複数の段部５３が階段状に設けられている。
【００４０】
第２面部７ｂには、左右方向に所定の間隔を開けて２つのスピーカ設置孔５７が設けられている。このスピーカ設置孔５７には、スピーカ装置５６が嵌め込まれ、ネジ止め等の固定手段によって第２面部７ｂに固定されている。この第２面部７ｂの略中央の左側には、基板取付部６０が設けられており、リモコン受光部が設けられた配線基板５８が取り付けられている。尚、この第２面部７ｂには、スピーカ装置５６、配線基板５８だけでなく、操作パネルやＡＶ機器接続用の入力端子等の各種のアクセサリ装置を取り付けてもよい。
【００４１】
第２面部７ｂの下端部には、セパレータ７の強度を高めるために、セパレータ補強部材５９が取り付けられている。このセパレータ補強部材５９は、左右方向に延在されて所定の長さに設定されている。更に、このセパレータ補強部材５９は、十分に大きな強度を発揮できる金属材料、例えば、鋼材等から形成されている。
【００４２】
更に、第２面部７ｂの下端部には、キャビネット２に設けた第１の係合孔部１８に対応する位置に、第１の係合フック部６１を設けている。同様に、第２面部７ｂの下端部におけるキャビネット２に設けた第２の係合孔部１９に対応する位置には、第２の係合フック部６２を設けている。この第１及び第２の係合フック部６１，６２は、図８及び図９等に示すように、一回折れ曲がった舌片状をなしており、このような形状をすることで各係合フック部６１，６２に適度な強さを有する弾性を付与している。舌片状の各係合フック部６１，６２の底面からは、下方に向けて突出した突起６１ａ，６２ａをそれぞれ設けている。尚、この実施の例では、係合孔部１８，１９及び係合フック部６１，６２をそれぞれ２つ設けた例について説明したが、係合孔部１８，１９及び係合フック部６１，６２の数はこれに限定されるものではなく、１つであってもよく、また３つ以上設けてもよいことは勿論である。
【００４３】
なお、セパレータ７の外周の全体又は一部にゴム、クッション或いは弾性を有するプラスチック等からなる防振部材を設けてもよい。この防振部材により、スピーカ装置５６の振動がキャビネット２に伝播されることを防ぐことができる。更に、キャビネット２とセパレータ７との隙間を無くすことができ、プロジェクション本体６の防塵効果をより向上させることができる。
【００４４】
このような構成を有するリアプロジェクションテレビ１は、例えば、次のようにして組み立てることができる。まず、キャビネット２の上面部２ｄに反射ミラー３を取り付ける。即ち、反射ミラー３の左辺部をキャビネット２の左側ミラーホルダ１５ａに保持させて、同様に、反射ミラー３の右辺部をキャビネット２の右側ミラーホルダ１５ｂに保持させる。反射ミラー３の下辺部をキャビネット２の複数のミラー係合片１１に係合させる。そして、上側ミラーホルダ１５ｃによって反射ミラー３の上辺部を保持させると共に、この上側ミラーホルダ１５ｃをキャビネット２の上面部２ａにネジ止めする。
【００４５】
次に、キャビネット２の開口部２ａから載置面部２ｂに、プロジェクション本体６を挿入する。即ち、載置面部２ｂの中央に光学ブロック２３、キャビネット２の開口部２ａから見て一側に光源ブロック２４、同様に他側にシャーシブロック２５を搭載する。このとき、シャーシブロック２５に設けた冷却ファン２７が、キャビネット２の背面部２ｃに設けたファン開口部１３から露出される。同様に、シャーシブロック２５に設けた外部コネクタ部が、キャビネット２の背面部２ｃに設けたコネクタ開口部１４から露出される。そして、キャビネット２に搭載された３つのブロック２３，２４，２５間を図示しないコネクタにより電気的に接続させる。
【００４６】
これにより、プロジェクション本体６の組み込み作業及びブロック２３，２４，２５間の電気的な接続処理を全てキャビネット２の前面に設けた開口部２ａから行えるため、組み込み作業及び配線処理を広い視界で極めて容易に行うことができる。その結果、コネクタ半挿し等の確認を確実に行うことができるため、電気的な接続不良を確実に防止することができる、従って、製品の歩留りの向上を図ることができる。更に、スクリーンに映像光を反射させる反射ミラー３及びこの反射ミラー３に映像光を投射する光学ブロック２３は、キャビネット２に収納されている。その結果、従来のリアプロジェクション装置のように上部キャビネット及び下部キャビネットとの間の位置関係のズレが発生するおそれがないため、光学精度を向上させることができる。
【００４７】
次に、セパレータ７のスピーカ設置孔５７にスピーカ装置５６を嵌め込み、ビス止めにより固定する。更に、このセパレータ７の基板取付部６０に配線基板５８を取り付ける。これにより、セパレータ７と、スピーカ装置５６等から構成されるセパレータ組立体６５が組み立てられる。
【００４８】
次に、キャビネット２の左側面部２ｅ及び右側面部２ｆに設けたガイド段部１７に沿って、セパレータ組立体６５を嵌め込む。このとき、セパレータ７に設けた第１及び第２の係合フック部６１，６２の突起６１ａ，６２ａがキャビネット２の載置面部２ｂに当接し、２つの係合フック部６１，６２の折れ曲がり部が弾性変形する。この状態から、更にセパレータ７をキャビネット２内に挿入すると、第１の係合フック部６１の突起６１ａが第１の係合孔部１８に挿入され、同様に、第２の係合フック部６２の突起６２ａが第２の係合孔部１９に挿入される。その結果、第１の係合孔部１８と第１の係合フック部６１が係合され、同様に、第２の係合孔部１９と第２の係合フック部６２が係合される。これにより、キャビネット２の内部にセパレータ組立体６５が固定される。これと同時に、セパレータ７に設けた投射開口部５１から、光学ブロック２３の投射レンズ４６が貫通される。
【００４９】
尚、本実施例では、セパレータ７のキャビネット２への固定手段として係合フック部６１，６２及び係合孔部１８を設けた例について説明したが、これに限定されるものでない。例えば、係合フック部６１，６２及び係合孔部１８だけでなく、更にネジ止め等の固定手段を用いてもよいことは勿論である。
【００５０】
このセパレータ組立体６５がキャビネット２の内部に固定されることにより、反射ミラー３とプロジェクション本体６との間が仕切られる。これにより、プロジェクション本体６の防塵を行うことができると共に、セパレータ７によって仕切られるキャビネット２内部の反射ミラー３側空間部とプロジェクション本体６側空間部との空気の循環を作るためのシーリング作用を得ることができる。更に、セパレータ組立体６５が補強部材となるため、キャビネット２の強度が向上され、キャビネット２に撓み等の変形が生じることを防止することができる。
【００５１】
次に、スクリーン４をベース枠５ａにスクリーンホルダを介してビス止めすることにより、スクリーン４をベース枠５ａに固定する。このスクリーン４が固定されたベース枠５ａの前面に化粧枠５ｂをビス止めして固定する。これにより、スクリーン４と、ベース枠５ａと、化粧枠５ｂから構成されるスクリーン組立体６６が組立てられる。
【００５２】
このスクリーン組立体６６を、セパレータ組立体６５が固定されているキャビネット２の開口部２ａを覆うように、キャビネット２の前面にビス止めする。これにより、リアプロジェクションテレビ１が組み立てられる。
【００５３】
図１０〜図１３は、本発明のリアプロジェクション装置の第２の実施の例に係るリアプロジェクションテレビ１Ａを示すものである。このリアプロジェクションテレビ１Ａと第１の実施の例に係るリアプロジェクションテレビ１と異なるところは、キャビネット２Ａの背面部２ｃＡにおいてシャーシブロック２５Ａと対応する位置に開口窓７１を設け、この開口窓７１からシャーシブロック２５Ａの組み込み及び取り外しを可能にした点である。その他の構成は前記第１の実施例と同一であるため、同一部分には同一の符号を付して重複した説明を省略し、異なる構成部分を重点的に説明する。
【００５４】
図１０及び図１１に示すように、本実施の例に係るキャビネット２Ａの背面部２ｃＡには、シャーシブロック２５Ａが搭載される位置と対応する位置に、冷却ファン２７を除くシャーシブロック２５Ａの背面から見た投影面積よりも少し大きく開口された開口窓７１が設けられている。
【００５５】
図１２及び図１３に示すように、シャーシブロック２５Ａの背面には、キャビネット２Ａに設けた開口窓７１と同様の大きさの外部コネクタ枠７２がネジ止めされている。この外部コネクタ枠７２は、シャーシブロック２５Ａに設けた外部コネクタ２８Ａを露出させるための外部コネクタ窓７３を有している。この外部コネクタ枠７２が取り付けられたシャーシブロック２５Ａは、キャビネット２Ａの開口窓７１から内部に挿入され、外部コネクタ枠７２を開口窓７１にネジ止めすることにより固定されている。その他の構成は、前記第１の実施の例に係るリアプロジェクションテレビ１と同様であるため説明を省略する。このような、構成を有するリアプロジェクションテレビ１Ａによっても、前述した第１の実施の例に係るリアプロジェクションテレビ１と同様の効果を得ることができる。
【００５６】
なお、第２の実施の例に係るリアプロジェクションテレビ１Ａによれば、メンテナンス等において、スクリーンフレーム５及びセパレータ７を外すことなく、開口窓７１からシャーシブロック２５Ａだけを単独でキャビネット２Ａの背面から取り外すことができるという効果を更に得ることができる。
【００５７】
また、第２の実施の例では、キャビネット２Ａの背面部２ｃＡにおけるシャーシブロック２５Ａと対応する位置に開口窓７１を設けた例について説明したが、この実施の例に限定されるものはない。例えば、キャビネット２の背面部２ｃにおいて、光学ブロック２３と対応する位置に開口窓を設けてもよく、また、光源ブロック２４と対応する位置に開口窓を設けてもよい。更に、キャビネット２の左側面部２ｅ及び右側面部２ｆに各ブロックを単独で取り外す開口窓を設けてもよい。
【００５８】
以上説明してきたように、本発明のリアプロジェクション装置は、前面の略全体が開口されたキャビネットに反射ミラーを取り付けると共に、その開口部からキャビネット内にプロジェクション本体を挿入する。スクリーンフレームは、反射ミラーによって反射された映像光を投影するスクリーンを保持すると共に、キャビネットの前面に取り付ける。そして、反射ミラーとプロジェクション本体を仕切るセパレータをキャビネット内に設ける構成とした。これにより、主要な構成部をキャビネットと、スクリーンフレームと、セパレータの３点構造としているため、リアプロジェクション装置全体の部品点数の削減をすることができる。
【００５９】
更に、キャビネットの前面の全体が開口されているため、反射ミラーだけでなくプロジェクション本体も前面から組み込むことができ、組立作業を広い視界で極めてスムーズに行うことができる。その結果、コネクタの半挿し等の確認を確実に行うことができるため、製品の歩留りの向上を図ることができる。
【００６０】
また、キャビネットの内部に反射ミラーとプロジェクション本体を仕切るセパレータを設けた。そのため、プロジェクション本体の防塵を確実に行うことができ、セパレータによって仕切られるキャビネット内部の反射ミラー側空間部とプロジェクション本体側空間部との空気の循環を作るためのシーリング作用を得ることができる。更に、このセパレータ自体が補強部材となるため、リアプロジェクション装置全体の強度の向上を図ることができる。
【００６１】
尚、本発明は前述しかつ図面に示した実施の形態に限定されるものではなく、その要旨を逸脱しない範囲内で種々の変形実施が可能である。例えば、前記実施の例においては、リアプロジェクション装置としてリアプロジェクションテレビを適用した例について説明したが、パーソナルコンピュータや遊技機のディスプレイ装置、その他のリアプロジェクション装置にも適用できるものである。
【図面の簡単な説明】
【００６２】
【図１】本発明のリアプロジェクション装置の第１の実施の例に係るリアプロジェクションテレビを正面側から見た斜視図である。
【図２】本発明のリアプロジェクション装置の第１の実施の例に係る主要な構成部の分解斜視図である。
【図３】本発明のリアプロジェクション装置の第１の実施の例に係るキャビネットにプロジェクション本体を搭載した状態を示す説明図である。
【図４】本発明のリアプロジェクション装置の第１の実施の例に係るキャビネットを示す斜視図である。
【図５】本発明のリアプロジェクション装置の第１の実施の例に係る光学ブロック及び光源の構成を示す模式図である。
【図６】本発明のリアプロジェクション装置の第１の実施の例に係るセパレータを示す斜視図である。
【図７】本発明のリアプロジェクション装置の第１の実施の例に係るキャビネット内にセパレータを固定した状態を示す斜視図である。
【図８】本発明のリアプロジェクション装置の第１の実施の例に係る係合孔部と係合フック部の係止状態を示すもので、図７の要部を拡大して示す説明図である。
【図９】本発明のリアプロジェクション装置の第１の実施の例に係る係合孔部と係合フック部の係止状態を示すもので、図８に示すＡ−Ａ線断面図である。
【図１０】本発明のリアプロジェクション装置の第２の実施の例に係るリアプロジェクションテレビを背面側から見た説明図である。
【図１１】本発明のリアプロジェクション装置の第２の実施の例に係るキャビネットを背面側から見た斜視図である。
【図１２】本発明のリアプロジェクション装置の第２の実施の例に係るシャーシブロックに外部コネクタ枠を取り付けた状態を正面側から見た斜視図である。
【図１３】本発明のリアプロジェクション装置の第２の実施の例に係るシャーシブロックに外部コネクタ枠を取り付けた状態を背面側から見た斜視図である。
【図１４】従来のリアプロジェクション装置に係るリアプロジェクションテレビの正面側から見た分解斜視図である。
【図１５】従来のリアプロジェクション装置に係るリアプロジェクションテレビを背面側から見た分解斜視図である。
【符号の説明】
【００６３】
１，１Ａ…リアプロジェクションテレビ（リアプロジェクション装置）、  ２，２Ａ…キャビネット、  ２ａ…開口部、  ２ｃ…背面部、  ３…反射ミラー、  ４…スクリーン、  ５…スクリーンフレーム、  ６…プロジェクション本体、  ７…セパレータ、  ７ａ…第１面部、  ７ｂ…第２面部、  １８…第１の係合孔部（支持部）、  １９…第２の係合孔部（支持部）、  ２３…光学ブロック、  ２４…光源ブロック、  ２５…シャーシブロック、  ２６…光源、  ５１…投射開口部、  ５６…スピーカ装置、  ５８…配線基板、  ６１…第１の係合フック部、  ６２…第２の係合フック部、  ６１ａ，６２ａ…突起、  ７１…開口窓
【図１】
2008145963.tif 000003
【図２】
2008145963.tif 000004
【図３】
2008145963.tif 000005
【図４】
2008145963.tif 000006
【図５】
2008145963.tif 000007
【図６】
2008145963.tif 000008
【図７】
2008145963.tif 000009
【図８】
2008145963.tif 000010
【図９】
2008145963.tif 000011
【図１０】
2008145963.tif 000012
【図１１】
2008145963.tif 000013
【図１２】
2008145963.tif 000014
【図１３】
2008145963.tif 000015
【図１４】
2008145963.tif 000016
【図１５】
2008145963.tif 000017